(57)【要約】      （修正有）【課題】本体の本および別冊本の中味を通常の本と同様に確かめられ、搬送中や店頭での展示中に別冊本が外れるのを回避でき、また、本体の本と別冊本をそれぞれ簡単にしかも破損させることなしに外すことができる別冊本付き合本を提供する。【解決手段】中綴じ本と平綴じ本とを相互に重ね合わせて一体化された別冊本付き合本であり、中綴じ本は、その表表紙から背部を通り裏表紙へと延びるように、中綴じ本と共に綴じ針金により綴じられた保護紙を備える。平綴じ本は、その背部を含む表裏の表紙をＰＰ加工が施された用紙により作成される。中綴じ本の保護紙の背部と平綴じ本の背部は、相互に重ね合わされた中綴じ本および平綴じ本の最外面に位置する一方の表紙から両者の背部を通り他方の表紙を覆うように形成された外表紙の背部の内面側にそれぞれ接着される。【選択図】図１
0003113669.tif 000002
【実用新案登録請求の範囲】
【請求項１】
中綴じ本と平綴じ本とを相互に重ね合わせて一体化された別冊本付き合本であって、中綴じ本はその表表紙から背部を通り裏表紙へと延びるように中綴じ本と共に綴じ針金により綴じられた保護紙を備え、平綴じ本はその背部を含む表裏の表紙をＰＰ加工が施された用紙により作成され、中綴じ本の保護紙の背部と平綴じ本の背部は相互に重ね合わされた中綴じ本および平綴じ本の最外面に位置する一方の表紙から両者の背部を通り他方の表紙を覆うように形成された外表紙の背部の内面側にそれぞれ接着される、別冊本付き合本。
【請求項２】
前記保護紙は、中綴じ本の表表紙を覆い隠すことがないように、透明または半透明の用紙或いは型抜き加工された用紙を用いるか、或いは、中綴じ本の表表紙に比較して十分に小さな寸法形状に形成される、請求項１に記載の別冊本付き合本。
【考案の詳細な説明】
【技術分野】
【０００１】
本考案は、別冊本のついた本に関し、特に、中綴じ本と平綴じ本の組合せからなる別冊本付き本の合本に関する。
【０００２】
本考案の説明において、「平綴じ本」の用語は、平らな背部を有する本を意味しており、本来の意味での平綴じ本や無線綴じ本等を含むものである。また、「ＰＰ加工」の用語は、ポリプロピレンフィルム・ラミネート加工や樹脂コーティング加工を意味するが、ラミネート材料やコーティング材料としてポリプロピレンに限定するものではなく、同様な目的で使用される種々の樹脂を含むものである。
【背景技術】
【０００３】
本に付録として別冊の本を付ける場合、両者を合成樹脂フィルムで包装したり、別冊本を本体の本に挟み込んだりすることにより行われている。前者の場合、合成樹脂フィルム包装を破かねばどのような内容であるのかを見ることができず、本を買う際の購買者の常識的な行動である「中味を見て買う」という行為が阻害されて購買者の購買欲を損なう結果となり、付録を付けるという販促効果とは逆の効果を生じかねないものであった。一方、後者の場合、搬送中や店頭での展示中に抜け落ちたり、極端な場合には抜き取られたりして無くなってしまう可能性が大きいだけでなく、別冊本が薄い場合には、なんとか挟み込むことは可能であるが、厚くなってしまうと挟み込むことができないものであった。また、特に本体の本が中綴じ本の場合、別冊本が厚いと中綴じ本が見開き状態になり易い。そのため、別冊本に相対的に厚さのある平綴じ本を採用する際には、別冊本の大きさを本体の本に比べて十分に小さな大きさにしなければならず、付録としての本に制約を設ける必要があった。
【考案の開示】
【考案が解決しようとする課題】
【０００４】
本考案は、本体の本は勿論のこと、別冊本の中味を通常の本と同様に確かめることができ、搬送中や店頭での展示中に別冊本が抜け落ちたり、抜き取られたりするのを回避することができ、また、必要に応じて本体の本と別冊本をそれぞれ簡単にしかも破損させることなしに独立させることができる別冊本付き合本を提供しようとするものである。
【課題を解決するための手段】
【０００５】
本考案による別冊本付き合本は、中綴じ本と平綴じ本とを相互に重ね合わせて一体化された別冊本付き合本である。そして、中綴じ本は、その表表紙から背部を通り裏表紙へと延びるように、中綴じ本と共に綴じ針金により綴じられた保護紙を備える。平綴じ本は、その背部を含む表裏の表紙をＰＰ加工が施された用紙により作成される。中綴じ本の保護紙の背部と平綴じ本の背部は、相互に重ね合わされた中綴じ本および平綴じ本の最外面に位置する一方の表紙から両者の背部を通り他方の表紙を覆うように形成された外表紙の背部の内面側にそれぞれ接着される。本考案による別冊本付き合本はまた、中綴じ本の表表紙を覆い隠すことがないように、透明または半透明の用紙或いは型抜き加工された用紙を用いて保護紙を形成するか、或いは、保護紙の寸法形状を中綴じ本の表表紙に比較して十分に小さく形成することもできる。
【考案の効果】
【０００６】
本考案によれば、中綴じ本と平綴じ本は外表紙に接着されているため、搬送中や店頭での展示中に別冊本が不用意に外れてしまうのを確実に防止できるだけでなく、購買者がそれぞれの本の内容を確認してから購入することができるため、付録の目的である販促効果を確実にあげることができる。また、中綴じ本は中綴じ本と共に綴じられた保護紙を外表紙に接着することで一体化されているため、中綴じ本のみを引き抜くと綴じ針金から保護紙が外れるため、中綴じ本を損傷することなしに取り外すことができ、一方、平綴じ本は、ＰＰ加工を施された表紙であることにより、平綴じ本を損傷することなしに取り外すことができる。さらに、保護紙を中綴じ本の表表紙を覆い隠さないように形成することにより、中綴じ本の表表紙の印刷を隠してしまうのを抑えることもできる。
【考案を実施するための最良の形態】
【０００７】
本考案の実施例による別冊本付き合本は、図１および２に示すように、本体の本としての中綴じ本または平綴じ本（図示の場合、中綴じ本１０）と、別冊本としての平綴じ本または中綴じ本（図示の場合、平綴じ本２０）と、中綴じ本１０と平綴じ本２０とを合本するための外表紙３０とから構成される。
【０００８】
外表紙３０は、中綴じ本１０と平綴じ本２０とを相互に重ね合わせた状態（図示の場合、中綴じ本１０の裏表紙１２と平綴じ本２０の表表紙２１とを重ね合わせた状態）で最外面に位置する一方の表紙（図示の場合、中綴じ本１０の表表紙１１）から中綴じ本１０の背部１３および平綴じ本２０の背部２３を通り他方の表紙（図示の場合、平綴じ本２０の裏表紙２２）を覆うように形成される。
【０００９】
中綴じ本１０は、図３および４に示すように、綴じ針金１４により中綴じ本と共に綴じられた保護紙１５を備える。保護紙１５は、中綴じ本１０の表表紙１１から背部１３を通り裏表紙１２へと延びるように形成される。保護紙１５は、中綴じ本の表表紙の印刷を隠してしまうのを最小限に抑えるために、中綴じ本１０の表表紙１１の大きさに対して十分に小さく形成されることもできる。中綴じ本１０と外表紙３０の結合は、ホットメルト等の適当な接着剤４０により背部１３の部分に位置する保護紙１５の部分を外表紙３０の背部３１の内面側に接着することにより行われる。
【００１０】
一方、平綴じ本２０は、背部２３を含む表裏の表紙２１および２２をＰＰ加工が施された用紙により作成され、接着剤４０により背部２３を外表紙３０の背部３１の内面側に直接接着される。このため、接着剤４０は、平綴じ本２０を外表紙３０から引き剥がすように力を加えたとき、平綴じ本２０の背部２３を含む接着部分に損傷を与えることなしに平綴じ本２０を引き剥がすことができる接着力であることが必要であるが、運搬中や店頭展示中に不用意に剥がれることがないような接着力を有する必要もある。
【００１１】
上述の如く構成される本考案の別冊本付き合本は、図５に示すように、中綴じ本１０を外表紙３０から引き剥がすように力を加えたとき、保護紙１５が中綴じ本１０の綴じ針金１４から外れ、保護紙１５を外表紙３０に接着させたままで中綴じ本１０を抜き取ることができ、それにより、中綴じ本１０にはなんらの損傷も与えることはない。一方、平綴じ本２０については、前述したように、表紙がＰＰ加工されていることにより、損傷なしに外表紙３０から外すことができる。
【００１２】
上述の説明において、保護紙１５は、相対的に中綴じ本１０の表表紙１１よりも小さな方形形状で示されて説明したが、中綴じ本の表表紙の大きさ内であればどのような形態にも形成できる点に留意されたい。この別の形態の保護紙１５としては、図示していないが、透明または半透明の用紙を用いて中綴じ本１０の表表紙１１と同様な寸法形状に形成したり、適当な形に型抜きした用紙を用いたりすることができる。
【産業上の利用可能性】
【００１３】
上述した平綴じ本の代わりに、平らな面を有するもの、例えば、フィギュアを詰めた箱等を適用することができる。
【図面の簡単な説明】
【００１４】
【図１】本考案の実施例による別冊本付き合本を示す斜視図である。
【図２】図１に示す別冊本付き合本を上から見た図である。
【図３】図１に示す別冊本付き合本を作成する工程を説明するための模式的な図である。
【図４】図３に示す図における別冊本付き合本の斜視図である。
【図５】図１に示す別冊本付き合本の中綴じ本を外したときを示す斜視図である。
【符号の説明】
【００１５】
１０    中綴じ本                      １１  （中綴じ本の）表表紙
１２  （中綴じ本の）裏表紙            １３  （中綴じ本の）背部
１４    綴じ針金                      １５    保護紙
２０    平綴じ本                      ２１  （平綴じ本の）表表紙
２２  （平綴じ本の）裏表紙            ２３  （平綴じ本の）背部
３０    外表紙                        ３１  （外表紙の）背部
４０    接着剤
【図１】
0003113669.tif 000003
【図２】
0003113669.tif 000004
【図３】
0003113669.tif 000005
【図４】
0003113669.tif 000006
【図５】
0003113669.tif 000007